(57)【要約】【課題】  この発明は外力を加えること無く、自然の原理を応用し、且つ、部品点数が少なく、構造が簡単で組み立て易く、且つ、品質・機能・安全性・経済性・耐久性等に優れた天秤伸縮スライド移動式回転装置及びその回転方法を開発・提供する事にある。【解決手段】  架台本体と、架台本体上の左右方向に所定間隔離して設けた軸受けブラケットと、回転支軸と、複数の伸縮スライド移動式回転アームと、回転アームのスライド移動を円滑に行うためにスライド板の上下両面部にそれぞれ設けた補助スプリングと、回転支軸に対して平行に設け、且つ、水平板と垂直板が交差する角部を所定寸法のＲ形状に設けて回転作動する回転アームのローラー部を矯正的に押圧して遠心力方向と逆方向の縮側方向に移動させる案内板と、架台本体上部に設けた安全用保護カバーから成るものである。【選択図】  図１
2012255343.tif 000002
【特許請求の範囲】
【請求項１】
外力を加えること無く、天秤の原理を応用して複数のスライド移動式回転アームにより回転軸を永久的に回転可能に設けた回転装置であって、該回転装置（Ｓ）は架台本体（１）と、架台本体上の左右方向に所定間隔（Ｐ１）離して設け、且つ、案内板（６）の縦板（６ａ）内面と支軸中心間の前後方向の軸芯距離（Ｘａ）を、回転アームの一端側ガイドローラー部（４ｂ）が、略水平状態時に最短に成るようそれぞれ設け、且つ、案内板（６）の底板上面と支軸中心間の上下方向の軸芯距離（Ｙ）を、回転アーム他端側ガイドローラー部（４ｂ）が、略垂直状態時に最長に成るよう支軸回転中心部（ＲＣ）をそれぞれ設けた軸受けブラケット（２）（２'）と、支軸の円周部に所定幅（Ｗ）と所定深さ（Ｈ）をそれぞれ有し、軸芯に対しそれぞれ平行対称に形成して設けた、複数の一対のスライド用案内溝（３ａ）を、左右方向に所定間隔（Ｐ２）それぞれ離し、且つ、回転支軸に対して垂直方向に、所定角度（α）毎にそれぞれずらして設けた回転支軸（３）と、案内溝の所定幅（Ｗ）に適合する所定幅（Ｗ'）と所定長さ（Ｌ）を有する一対の二枚のスライド板（４ａ）（４ａ）を案内溝部（３ａ）（３ａ）にそれぞれ挟着し、両端部にガイドローラー（４ｂ）付重り（４ｃ）をそれぞれ設けた複数のスライド移動式回転アーム（４）と、回転アームのスライド移動を円滑に行うためにスライド板の上下両面部にそれぞれ設けた補助スプリング（５）（５）と、回転支軸（３）に対して平行に設け、且つ、水平板と垂直板が交差する角部を所定寸法のＲ形状に設けて回転作動する回転アームのローラー部を矯正的に押圧して遠心力方向と逆方向に移動させる案内板（６）と、架台本体上部に設けた安全用保護カバー（７）から成ることを特徴とする天秤スライド移動式回転装置。
【請求項２】
回転アームの両端に設けたガイドローラー部（４ｂ）（４ｂ）の係止角度を、回転アームが円滑に回転可能になるよう、回転支軸（３）の回転方向に対して逆方向に所定角度（β）をそれぞれ設けたことを特徴とする請求項１記載の天秤スライド移動式回転装置。
【請求項３】
左右両端を軸受けブラケット（２）（２'）で軸支した回転支軸（３）の軸芯に対して、垂直方向にスライド移動可能に設け、且つ、両端部にガイドローラー（４ｂ）付重り（４ｃ）をそれぞれ設けた複数のスライド移動式回転アーム（４）の挟着位置を支軸の長手方向に所定間隔それぞれ離し、且つ、スライド移動式回転アーム（４）の挟着角度を円周方向に所定角度それぞれずらして設け、且つ、該回転アーム（４）の上下両面部に補助スプリング（５）（５）をそれぞれ設け、且つ、回転アームの回転方向に沿った縦板（６ａ）と底板（６ｂ）、及び、縦板と底板が交差する角部（６ｃ）を所定寸法のＲ形状に形成して設けた略Ｌ字状の案内板（６）を設け、且つ、回転支軸中心と案内板の縦板間距離は、回転アームが略水平時に最小寸法になるように設け、且つ、該回転アーム（４）のスライド長（ＳＬ）は、回転アームの回転摩擦抵抗に対して、打ち勝つだけの回転モーメントを発生可能なスライド長に形成して設け、且つ、縮小側回転アーム長に対して、伸長側回転アーム長がスライド長分だけ増大することで、回転力が増大することで、外力を加えること無く自然に回転軸を回転可能に設けたことを特徴とする回転方法。
【発明の詳細な説明】
【技術分野】
【０００１】
この発明は、外力を加えること無く、天秤の原理を応用して複数のスライド移動式回転アームにより回転軸を永久的に回転可能に設けた天秤スライド移動式回転装置及びその回転方法に関するものである。
【背景技術】
【０００２】
従来、回転装置には様々な原理・構造・機構等から成るものが発明され、商品化されているが、大半が天然に存在するエネルギーを原動機によって機械的仕事に変形・発生させたものが多く、これらに使用するエネルギーは永久的なものではなく、限界がある。又、前記の装置はコスト的にも高価になり、使用範囲が限られてくる等の問題がある。
【０００３】
近年では、先に発生した東日本大震災等のように、地震や津波により、多くの住民が被害を受け、更に、その影響で電気や水や食料等が不足し、生活に悪影響を与えている。特に、電力に関してはこの夏の電力不足が懸念され、エコ対策が余儀なくされている。
【０００４】
そこで、外力を加えること無く、自然の力を応用して回転軸を回転させる装置が開発・提供されれば、電力不足（エコ対策）にも貢献でき、多くの関係市場に貢献出来、更には、日本のみならず、世界全体に好影響を与えるものである。
【０００５】
これまでに、出願されている回転装置に関する特許文献を参考の為、紹介する（特許文献１〜２参照）。
【先行技術文献】
【特許文献】
【０００６】
【特許文献１】特開平７−０３５０２８
【特許文献２】特開２０１１−０３３０４３
【発明の概要】
【発明が解決しようとする課題】
【０００７】
そこで、上記課題を解決する為に、この発明は外力を加えること無く、自然の原理を応用し、且つ、部品点数が少なく、構造が簡単で組み立て易く、且つ、品質・機能・安全性・経済性・耐久性等に優れた天秤スライド移動式回転装置及びその回転方法を開発・提供する事にある。
【課題を解決するための手段】
【０００８】
この課題を解決する為の手段として、架台本体と、架台本体上の左右方向に所定間隔離して設け、且つ、案内板の縦板内面と支軸中心間の前後方向の軸芯距離を、回転アームの一端側ガイドローラー部が、略水平状態時に最短に成るようそれぞれ設け、且つ、案内板の底板上面と支軸中心間の上下方向の軸芯距離を、回転アーム他端側ガイドローラー部が、略垂直状態時に最長に成るよう支軸回転中心部をそれぞれ設けた軸受けブラケットと、支軸の円周部に所定幅と所定深さをそれぞれ有し、軸芯に対しそれぞれ平行対称に形成して設けた、複数の一対のスライド用案内溝を、左右方向に所定間隔それぞれ離し、且つ、回転支軸に対して垂直方向に、所定角度毎にそれぞれずらして設けた回転支軸と、案内溝の所定幅に適合する所定幅と所定長さを有する一対の二枚のスライド板を案内溝部にそれぞれ挟着し、両端部にガイドローラー付重りをそれぞれ設けた複数のスライド移動式回転アームと、回転アームのスライド移動を円滑に行うためにスライド板の上下両面部にそれぞれ設けた補助スプリングと、回転支軸に対して平行に設け、且つ、水平板と垂直板が交差する角部を所定寸法のＲ形状に設けて回転作動する回転アームのローラー部を矯正的に押圧して遠心力方向と逆方向に移動させる案内板と、架台本体上部に設けた安全用保護カバーから成ることを特徴とするものである。
【０００９】
又、回転アームの両端に設けたガイドローラー部の係止角度を、回転アームが円滑に回転可能になるよう、回転支軸の回転方向に対して逆方向に所定角度をそれぞれ設けたことを特徴とするものである。
【００１０】
又、左右両端を軸受けブラケットで軸支した回転支軸の軸芯に対して、垂直方向にスライド移動可能に設け、且つ、両端部にガイドローラー付重りをそれぞれ設けた複数のスライド移動式回転アームの挟着位置を支軸の長手方向に所定間隔それぞれ離し、且つ、スライド移動式回転アームの挟着角度を円周方向に所定角度それぞれずらして設け、且つ、該回転アームの上下両面部に補助スプリングをそれぞれ設け、且つ、回転アームの回転方向に沿った縦板と底板、及び、縦板と底板が交差する角部を所定寸法のＲ形状に形成して設けた略Ｌ字状の案内板を設け、且つ、回転支軸中心と案内板の縦板間距離は、回転アームが略水平時に最小寸法になるように設け、且つ、該回転アームのスライド長は、回転アームの回転摩擦抵抗に対して、打ち勝つだけの回転モーメントを発生可能なスライド長に形成して設け、且つ、縮小側回転アーム長に対して、伸長側回転アーム長がスライド長分だけ増大することで、回転力が増大することで、外力を加えること無く自然に回転軸を回転可能に設けたことを特徴とするものである。
【発明の効果】
【００１１】
この発明の効果として、架台本体と、架台本体上の左右方向に所定間隔離して設け、且つ、案内板の縦板内面と支軸中心間の前後方向の軸芯距離を、回転アームの一端側ガイドローラー部が、略水平状態時に最短に成るようそれぞれ設け、且つ、案内板の底板上面と支軸中心間の上下方向の軸芯距離を、回転アーム他端側ガイドローラー部が、略垂直状態時に最長に成るよう支軸回転中心部をそれぞれ設けた軸受けブラケットと、支軸の円周部に所定幅と所定深さをそれぞれ有し、軸芯に対しそれぞれ対称に形成して設けた複数の一対のスライド用案内溝を左右方向に所定間隔それぞれ離し、且つ、該案内溝は回転支軸に対して垂直方向に、所定角度毎にそれぞれずらして設けた回転支軸と、案内溝の所定幅に適合する所定幅と所定長さを有する一対の二枚のスライド板を案内溝部にそれぞれ挟着し、両端部にガイドローラー付重りをそれぞれ設けた複数のスライド移動式回転アームと、回転アームのスライド移動を円滑に行うためにスライド板の上下両面部にそれぞれ設けた補助スプリングと、回転支軸に対して平行に設け、且つ、水平板と垂直板が交差する角部を所定寸法のＲ形状に設けて回転作動する回転アームのローラー部を矯正的に押圧して遠心力方向と逆方向に移動させる案内板と、架台本体上部に設けた安全用保護カバーから成ることで、自然エネルギーを必要としない為、ランニングコストが掛からず、経済的にも有益で有り、更には、構造が簡単で、部品点数が少ない為、安価であり、品質・機能・安全性・耐久性等に優れる等、極めて有益なる効果を奏するものである。
【図面の簡単な説明】
【００１２】
【図１】この発明の一実施例を示し、天秤スライド移動式回転装置の左側面視断面図である。
【図２】この発明の一実施例を示し、天秤スライド移動式回転装置の正面視断面図である。
【図３】この発明の一実施例を示し、天秤スライド移動式回転装置の平面視一部欠截断面図である。
【図４】この発明の一実施例を示し、（Ａ）は回転支軸の正面図で、（Ｂ）は図４（Ａ）のａ−ａ矢視断面拡大図である。
【図５】この発明の一実施例を示し、（Ａ）は支軸に挟着した回転アーム単体の平面図で、（Ｂ）は回転アーム単体の一部欠截正面図である。
【図６】この発明の使用例を示し、斜視図である。
【発明を実施するための形態】
【００１３】
この発明を実施するための形態として、外力を加えること無く、天秤の原理を応用して複数のスライド移動式回転アームにより回転軸を永久的に回転可能に設けた回転装置であって、該回転装置（Ｓ）は架台本体（１）と、架台本体上の左右方向に所定間隔（Ｐ１）離して設け、且つ、案内板（６）の縦板（６ａ）内面と支軸中心間の前後方向の軸芯距離（Ｘａ）を、回転アームの一端側ガイドローラー部（４ｂ）が、略水平状態時に最短に成るようそれぞれ設け、且つ、案内板（６）の底板上面と支軸中心間の上下方向の軸芯距離（Ｙ）を、回転アーム他端側ガイドローラー部（４ｂ）が、略垂直状態時に最長に成るよう支軸回転中心部（ＲＣ）をそれぞれ設けた軸受けブラケット（２）（２'）と、支軸の円周部に所定幅（Ｗ）と所定深さ（Ｈ）をそれぞれ有し、軸芯に対しそれぞれ平行対称に形成して設けた、複数の一対のスライド用案内溝（３ａ）を、左右方向に所定間隔（Ｐ２）それぞれ離し、且つ、回転支軸に対して垂直方向に、所定角度（α）毎にそれぞれずらして設けた回転支軸（３）と、案内溝の所定幅（Ｗ）に適合する所定幅（Ｗ'）と所定長さ（Ｌ）を有する一対の二枚のスライド板（４ａ）（４ａ）を案内溝部（３ａ）（３ａ）にそれぞれ挟着し、両端部にガイドローラー（４ｂ）付重り（４ｃ）をそれぞれ設けた複数のスライド移動式回転アーム（４）と、回転アームのスライド移動を円滑に行うためにスライド板の上下両面部にそれぞれ設けた補助スプリング（５）（５）と、回転支軸（３）に対して平行に設け、且つ、水平板と垂直板が交差する角部を所定寸法のＲ形状に設けて回転作動する回転アームのローラー部を矯正的に押圧して遠心力方向と逆方向に移動させる案内板（６）と、架台本体上部に設けた安全用保護カバー（７）から成ることを特徴とする天秤スライド移動式回転装置から構成される。
【００１４】
又、回転アームの両端に設けたガイドローラー部（４ｂ）（４ｂ）の係止角度を、回転アームが円滑に回転可能になるよう、回転支軸（３）の回転方向に対して逆方向に所定角度（β）をそれぞれ設けたことを特徴とする天秤スライド移動式回転装置から構成される。
【実施例１】
【００１５】
そこで、この発明の一実施例を図１〜図５に基づいて詳述すると、本装置（Ｓ）は図１に示すように、主に架台本体（１）と、左右の軸受けブラケット（２）（２'）と、回転支軸（３）と、１２個のスライド移動式回転アーム（４）と、２個の補助スプリング（５）と、案内板（６）と、安全用保護カバー（７）から構成される。
【００１６】
そして、本装置（Ｓ）の架台本体（１）は所定長さ（約５４０ｍｍ）を有する板厚寸法ｔ１４ｍｍの矩形状の板を、横幅寸法約３２０ｍｍ×高さ寸法約３００ｍｍのＬ字状に折り曲げ形成して設け、且つ、該架台本体の底板上面から縦板背面にかけて、回転アームの回転方向に沿った縦板（６ａ）と底板（６ｂ）、及び、縦板と底板が交差する角部（６ｃ）を所定寸法（半径約Ｒ１２０ｍｍ）のＲ形状に形成して設けた略Ｌ字状の案内板（６）を溶着して設け、且つ、該案内板の背面部には複数の補強板をそれぞれ等間隔に複数箇所（５箇所）溶着して設けている。
【００１７】
又、架台本体上の左右両端部に、回転用支軸を軸支するための軸受けブラケット（２）（２'）を長手方向に所定間隔（Ｐ１）（約４５５ｍｍ）離してそれぞれ設け、且つ、該軸受けブラケットの軸中心部にはローラーベアリングを軸支して設け、且つ、該軸受けブラケットの軸中心は、案内板上から約１４０ｍｍで、案内板の縦板内面からの前後寸法を約９７ｍｍに設けている。
【００１８】
そして、該軸受けブラケット（２）には直径φ２５ｍｍ×長さ寸法約６００ｍｍの回転支軸（３）を軸支し、且つ、該回転支軸の長手方向には所定間隔（Ｐ２）（約３５ｍｍ）それぞれ離して設け、且つ、円周方向に１５度ずつ等間隔ずらしてそれぞれ設けた案内溝を１２箇所設けている。そして、前記案内溝は、図４（Ａ）（Ｂ）に示すように、深さ寸法２．５ｍｍ×横幅寸法２０ｍｍの上下対称の半月状に形成され、又、上下案内溝のスライド面間寸法（Ｔ）は約２０ｍｍに形成されている。
【００１９】
続いて、図５（Ａ）（Ｂ）に示すスライド移動式回転アーム（４）について詳述すると、スライド移動式回転アームの上下両面スライド板（４ａ）は材質が真鍮製で、板厚寸法６ｍｍ×横幅２０ｍｍ×長さ寸法約１３７ｍｍの矩形状に形成され、且つ、該スライド板の中心部には案内用の長穴（横幅６ｍｍ×長さ寸法６１ｍｍ）をそれぞれ設けている。そして、上下両面スライド板間（Ｔ）の両端には、ガイドローラーが円滑に滑るようにする為、回転方向に対して逆方向に所定角度（α）の傾斜角を設けたガイドローラー（４ｂ）付重り（４ｃ）をソケットボルト・ワッシャ等の係止部材により、それぞれ螺着して設けている。又、更に、前記回転支軸の各案内溝中心部には、スライド面に対して垂直方向に、直径φ６ｍｍの補助スプリング係止用ピン（５ａ）をそれぞれ軸着して設け、且つ、該補助スプリング係止用ピン（５ａ）とガイドローラー付重り（４ｃ）間に、回転アーム（４）の回転を円滑にするための補助スプリング（５）を上下両面にそれぞれ係止している。
【００２０】
そして、回転装置の上面から前面部に掛けて、及び、左右両側面部には、着脱可能な安全用保護カバー（７）をボルト・ナット・ワッシャ等の係止部材で螺着して設けている。
【００２１】
次に、本回転装置の回転支軸が外力を加えることなく、永久的に回転し続ける方法（原理）について簡単に説明すると、左右両端を軸受けブラケット（２）（２'）で軸支した回転支軸（３）の軸芯に対して、垂直方向にスライド移動可能に設け、且つ、両端部にガイドローラー（４ｂ）付重り（４ｃ）をそれぞれ設けた複数のスライド移動式回転アーム（４）の挟着位置を支軸の長手方向に所定間隔それぞれ離し、且つ、スライド移動式回転アーム（４）の挟着角度を円周方向に所定角度それぞれずらして設け、且つ、該回転アーム（４）の上下両面部に補助スプリング（５）（５）をそれぞれ設け、且つ、回転アームの回転方向に沿った縦板（６ａ）と底板（６ｂ）、及び、縦板と底板が交差する角部（６ｃ）を所定寸法のＲ形状に形成して設けた略Ｌ字状の案内板（６）を設け、且つ、回転支軸中心と案内板の縦板間距離は、回転アームが略水平時に最小寸法になるように設け、且つ、該回転アーム（４）のスライド長（ＳＬ）は、回転アームの回転摩擦抵抗に対して、打ち勝つだけの回転モーメントを発生可能なスライド長に形成して設け、且つ、縮小側回転アーム長に対して、伸長側回転アーム長がスライド長分だけ増大することで、回転力が増大することで、外力を加えること無く自然に回転軸を回転可能に設けたことを特徴とするものである。
【００２２】
従って、一言で言えば天秤の原理を応用したもので、図１に示すように回転支軸（３）の中心軸部をスライド移動式回転アーム（４）の一端側（後方側）に所定寸法だけ変心させて設け、且つ、該スライド移動式回転アーム（４）は回転支軸の長手方向に等間隔（３５ｍｍ間隔）で、且つ、回転支軸の円周方向に対して所定角度（１５度）ずつ角度をずらして設けた案内溝部の両面部に挟着して設けたスライド移動式回転アーム（４）を５５ｍｍ前後方向に移動可能に設け、且つ、回転支軸中心に対して、後方側に案内板を設けて、水平状態から下降方向に回転する回転アームの伸長側先端ローラー部を矯正的に接触させて回転アームが縮小方向に移動するように設けることで、回転支軸の中心部を支点にして、右方向の回転アーム長さが、左方向の回転アーム長さに比較し、常時長くなるように設けることで回転モーメントが作用して、回転支軸が右方向に回転し続けるようもうけたものである。尚、前記回転支軸（３）の中心軸部の変心量については、回転アームのガイドローラーと案内板との接触摩擦抵抗によって異なる為、使用する目的・用途に応じて調整する必要がある。
【００２３】
又、回転アーム（４）の上下両面部に設けた補助スプリング（５）（５）は、回転アームが下降回転してガイドローラーの先端が案内板に接触する際に、回転アームが垂直姿勢になり、一時的にバランス状態になるため、補助スプリング（５）（５）によって回転アームの縮小方向側に引力を与えて、回転アームがスムーズに回転するよう設けたものである。尚、補助スプリングについては、これに限定するものではなく、エアーシリンダーやゴム等の代用品を使用しても構わない。
【００２４】
最後に、本回転装置（Ｓ）の使用例について説明すると、例えば、図６に示すように本装置の回転軸部（３）の一端と発電機（Ｄ）の回転軸部をカップリング（Ｃ）で連結して発電機（Ｄ）を回して電気を起こすことも可能で、この他、発電機以外の様々な回転機構を要する機器や装置関係に適用が可能である。
【産業上の利用可能性】
【００２５】
この発明の天秤スライド移動式回転装置は、外力を加えること無く、自然の原理を応用し、且つ、部品点数が少なく、構造が簡単で組み立て易く、且つ、品質・機能・安全性・経済性・耐久性等に優れているため、製造・販売することで、多くの関係市場に寄与する点で産業上の利用可能性を有する。
【符号の説明】
【００２６】
１  架台本体
２  軸受けブラケット
２'  軸受けブラケット
３  回転支軸
３ａ  案内溝
４  スライド移動式回転アーム
４ａ  スライド板
４ａ'  案内用長穴
４ｂ  ガイドローラー
４ｃ  重り
５  補助スプリング
５ａ  補助スプリング係止用ピン
６  案内板
６ａ  案内板の縦板部
６ｂ  案内板の底板部
６ｃ  案内板の角部
７  安全用保護カバー
Ｌ  所定長さ
α  所定角度（案内溝ズレ角）
β  所定角度（ガイドローラー傾斜角）
Ｃ  カップリング
Ｄ  発電機
ｄ  ピン嵌挿穴
Ｈ  所定深さ（案内溝深さ）
Ｐ１  所定間隔（左右軸受けブラケット間）
Ｐ２  所定間隔（回転アームと回転アーム間）
ＲＣ  支軸回転中心部
Ｓ  天秤スライド移動式回転装置
ＳＬ  スライド長
Ｔ  上下スライド面間寸法
Ｘ  回転アーム水平時の支軸とガイドローラー先端間最短距離
Ｘ'  回転アーム水平時の支軸とガイドローラー先端間最長距離
Ｘａ  前後方向軸芯距離
Ｙ  上下方向軸芯距離
Ｗ  案内溝所定幅
Ｗ'  スライド板所定幅
【図１】
2012255343.tif 000003
【図２】
2012255343.tif 000004
【図３】
2012255343.tif 000005
【図４】
2012255343.tif 000006
【図５】
2012255343.tif 000007
【図６】
2012255343.tif 000008